【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
第一の材料で形成された第一の骨組構造物を用意する工程（第一の骨組構造物は第一材料で形成された対応する表面を提供する）、
第二の材料で形成された第一のコンストラクションを用意する工程（第一のコンストラクションは第二材料で形成された対応する表面を提供する）、
第一の構造物の対応する表面を、第一のコンストラクションの対応する表面に、接着剤で接着する工程
を含んでなるインストルメントパネルアセンブリの形成方法。
【請求項２】
第一の骨組構造物の対応する表面及び第一のコンストラクションの対応する表面の少なくとも一方が低エネルギー表面であり、そして接着剤が低エネルギー表面へ接着することができる請求項１に記載の方法。
【請求項３】
低エネルギー表面が第一のコンストラクションによって与えられ、そして第一の材料が４５ｍＪ／ｍ2よりも小さい表面エネルギーを有するプラスチックである請求項２に記載の方法。
【請求項４】
第一の骨組構造物及びその対応する表面がスチール、アルミニウム又はこれらの組合せから選択された金属で製造されている請求項１、２又は３に記載の方法。
【請求項５】
前記第一のコンストラクションの対応する表面の処理又はプライマー処理なしに、第一のコンストラクションの対応する表面に前記接着剤を直接適用することを更に含む請求項１、２、３又は４に記載の方法。
【請求項６】
接着剤がオルガノボラン／アミン錯体及び１種又はそれ以上のフリーラジカル重合によって重合することができるオレフィン性不飽和を有するモノマー、オリゴマー又はポリマー並びに錯体を解離させて、１種又はそれ以上のオレフィン性不飽和を有するモノマー、オリゴマー又はポリマーの重合を開始するためのオルガノボランを放出する化合物を含む請求項１、２、３、４又は５に記載の方法。
【請求項７】
接着工程の後に、第一の構造物及び第一のコンストラクションが少なくとも１個のダクトを協同して規定する請求項１又は６に記載の方法。
【請求項８】
第一の構造物が接着工程の前に溝を規定し、そしてこの溝がその後ダクトの少なくとも一部を形成する請求項７に記載の方法。
【請求項９】
ダクトが、コンディショニングした空気の供給と、第一のコンストラクションのフロントパネル部分によって少なくとも部分的に規定される開口との間の流体連通を与える請求項７又は８に記載の方法。
【請求項１０】
第一の構造物が自動車の一方のＡ柱から自動車の他方のＡ柱まで実質的に伸びている長尺部材を含む請求項７、８又は９に記載の方法。
【請求項１１】
第二の骨組構造物を用意する工程、
第二のコンストラクションを用意する工程、
第二の骨組構造物を第二のコンストラクションに接着する工程並びに
第二の骨組構造物及び第二のコンストラクションの少なくとも一方又は両方を、第二のコンストラクションに接着する工程
を更に含む請求項７、８、９又は１０に記載の方法。
【手続補正２】
【補正対象書類名】明細書
【補正対象項目名】００９１
【補正方法】変更
【補正の内容】
【００９１】
前記の検討は、本発明の代表的な態様を単に開示し、説明する。当業者は、このような検討から並びに添付する図面及び特許請求の範囲から、種々の変更、修正及び変化を、前記の特許請求の範囲に定義された本発明の精神及び範囲から逸脱することなく、その中で行うことができることを容易に認めるであろう。特に、前記のコンポーネント、アセンブリ、デバイス、組成物などによって実施される種々の機能に関して、このような項目を説明するために使用した用語は、他の方法で示さない限り、必ずしも開示した構造物と構造的に均等ではないが、説明した項目の特定された機能を実施する全ての項目に対応する。更に、本発明の特別の特徴を、態様の一つのみに関して前記したが、このような特徴は、他の例示する態様の１個又はそれ以上の他の特徴と組合せることができる。
以下に本発明の態様を列記する。
１．第一の材料で形成された第一の骨組構造物を用意する工程（第一の骨組構造物は第一材料で形成された対応する表面を提供する）、
第二の材料で形成された第一のコンストラクションを用意する工程（第一のコンストラクションは第二材料で形成された対応する表面を提供する）、
第一の構造物の対応する表面を、第一のコンストラクションの対応する表面に、接着剤で接着する工程
を含んでなるインストルメントパネルアセンブリの形成方法。
２．第一の骨組構造物の対応する表面及び第一のコンストラクションの対応する表面の少なくとも一方が低エネルギー表面であり、そして接着剤が低エネルギー表面へ接着することができる態様１に記載の方法。
３．低エネルギー表面が第一のコンストラクションによって与えられ、そして第一の材料が４５ｍＪ／ｍ2よりも小さい表面エネルギーを有するプラスチックである態様２に記載の方法。
４．プラスチックがポリオレフィン、ポリスチレン及びポリアミドから選択されたホモポリマー又はこれらのコポリマーを含む態様３に記載の方法。
５．プラスチックがポリスチレンアロイ、ポリブチレンテレフタレートポリマー、アクリロニトリルブタジエンスチレン、ポリカーボネートアクリロニトリルブタジエンスチレン、スチレン無水マレイン酸、ポリフェニレンエーテル、ポリフェニレンオキシド、これらの組合せ等を含む態様３に記載の方法。
６．プラスチックが繊維を含む態様３、４又は５に記載の方法。
７．繊維がガラス短繊維、ガラス長繊維、天然短繊維又は天然長繊維から選択される態様６に記載の方法。
８．プラスチックがガラス短繊維充填ポリプロピレン、ガラス長繊維充填ポリプロピレン、ガラス充填ポリアミド及びガラス充填ポリアミドアロイから選択される態様６に記載の方法。
９．第一の骨組構造物及びその対応する表面がスチール、アルミニウム又はこれらの組合せから選択された金属で製造されている態様１、２、３、４、５、６、７又は８に記載の方法。
１０．前記第一のコンストラクションの対応する表面の処理又はプライマー処理なしに、第一のコンストラクションの対応する表面に前記接着剤を直接適用することを更に含む態様１、２、３、４、５、６、７、８又は９に記載の方法。
１１．第一のコンストラクション及び第一のコンストラクションの対応する表面がポリプロピレン又はポリアミドで形成されている態様１、２、３、４、５、６、７、８、９又は１０に記載の方法。
１２．接着剤がオルガノボラン／アミン錯体及び１種又はそれ以上のフリーラジカル重合によって重合することができるオレフィン性不飽和を有するモノマー、オリゴマー又はポリマーを含む態様１、２、３、４、５、６、７、８、９、１０又は１１に記載の方法。
１３．重合性組成物が、錯体を解離させて、１種又はそれ以上のオレフィン性不飽和を有するモノマー、オリゴマー又はポリマーの重合を開始するためのオルガノボランを放出する化合物を更に含む態様１２に記載の方法。
１４．オルガノボラン／アミン錯体のアミン部分がアミジン構造成分を有するアミン、複素環式環内に少なくとも１個の窒素を有する脂肪族複素環、更に、１個又はそれ以上の水素結合受容基を有する第一級アミン（但し、第一級アミンと水素結合受容基との間に、少なくとも２個の炭素原子が存在する）及び共役イミンの群から選択される態様１２に記載の方法。
１５．アミンがジメチルアミノプロピルアミン、メトキシプロピルアミン、ジメチルアミノエチルアミン、ジメチルアミノブチルアミン、メトキシブチルアミン、メトキシエチルアミン、エトキシプロピルアミン、プロポキシプロピルアミン、アミン末端ポリアルキレンエーテル（例えばトリメチロールプロパントリス（ポリ（プロピレングリコール）アミン末端）エーテル）、アミノプロピルモルホリン、イソホロンジアミン及びアミノプロピルプロパンジアミンから選択される態様１２に記載の方法。
１６．オルガノボラン／アミン錯体のオルガノボラン部分がトリアルキルボラン及びアルキルシクロアルキルボランから選択される態様１２に記載の方法。
１７．接着工程の後に、第一の構造物及び第一のコンストラクションが少なくとも１個のダクトを協同して規定する態様１又は１２に記載の方法。
１８．第一の構造物が接着工程の前に溝を規定し、そしてこの溝がその後ダクトの少なくとも一部を形成する態様１７に記載の方法。
１９．ダクトが、コンディショニングした空気の供給と、第一のコンストラクションのフロントパネル部分によって少なくとも部分的に規定される開口との間の流体連通を与える態様１７又は１８に記載の方法。
２０．第一の構造物が自動車の一方のＡ柱から自動車の他方のＡ柱まで実質的に伸びている長尺部材を含む態様１７、１８又は１９に記載の方法。
２１．第一の構造物がステアリングホイールカラムを支持するための構造を含む態様１７、１８、１９又は２０に記載の方法。
２２．接着剤がウレタン、アクリル、メタクリル酸メチル、エポキシ、アクリロニトリルブタジエンスチレン、ポリカーボネート又はこれらの混合物を含む態様１、２、３、４、５、６、７、８、９、１０又は１１に記載の方法。
２３．第二の骨組構造物を用意する工程、
第二のコンストラクションを用意する工程、
第二の骨組構造物を第二のコンストラクションに接着する工程並びに
第二の骨組構造物及び第二のコンストラクションの少なくとも一方又は両方を、第二のコンストラクションに接着する工程
を更に含む態様１７、１８、１９、２０、２１又は２２に記載の方法。
２４．第一のコンストラクションの表面上にカバーを配置する態様１〜２３の何れか１項に記載の方法。
２５．カバーを吹込成形ポリマー材料で形成する態様２４に記載の方法。